(57)【要約】【課題】外装箱体の強度を減らすことができ内部風洞部材で形成される通風経路内の圧力損失を少なくできる電気機器の筐体を提供することである。【課題手段】内部風洞部材１３は、発熱体１４を搭載する取付台１５を保持し、発熱体１５への冷却風を案内する風洞を外装箱体１１と共に形成する。そして、内部風洞部材１３の吊り治具１７を使用して内部風洞部材１３を吊り上げ、筐体を移動させる。これにより、外装箱体の強度を減少させることができる。【選択図】　図１
2004087902.tif 000002
【特許請求の範囲】
【請求項１】
電気機器を構成する要素のうち発熱体を搭載する取付台を保持すると共に前記発熱体への冷却風を案内する風洞を形成する内部風洞部材と、前記内部風洞部材の上部に取り付けられ前記内部風洞部材を吊り上げる際に使用される吊り治具と、前記内部風洞部材を収納し前記内部風洞部材と前面板または背面板との間で前記風洞を形成する外装箱体とを備えたことを特徴とする電気機器の筐体。
【請求項２】
前記発熱体を搭載する取付台は、グレーチング部材であることを特徴とする請求項１記載の電気機器の筐体。
【請求項３】
前記外装箱体の床板は、グレーチング部材であることを特徴とする請求項１または請求項２記載の電気機器の筐体。
【発明の詳細な説明】
【０００１】
【発明の属する技術分野】
本発明は、発熱体を構成要素とする電気機器を冷却するための冷却構造を有した電気機器の筐体に関する。
【０００２】
【従来の技術】
例えば、電力変換装置や無停電電源装置を収納する筐体においては、電気機器を構成する要素に発熱体がある場合には、その発熱体の放熱を適正にできるような構造としている。図３は、そのような冷却構造を有した従来の電気機器の筐体の説明図であり、図３（ａ）は内部斜視図、図３（ｂ）は発熱体を搭載する取付台の斜視図である。
【０００３】
外装箱体１１は、外装取付枠１２に、床板、前面板、背面板、側面板、さらに天井板が取り付けられて構成される。この外装箱体１１の内部には内部風洞部材１３ａ、１３ｂ、１３ｃが配置され、発熱体１４を搭載する取付台１５を保持するようにしている。取付台１５は、図３（ｂ）に示すように、折り曲げ板金で形成され、冷却風が通過し易いように通風孔１５ａが設けられている。
【０００４】
そして、外装箱体１１の前面板には冷却風を取り込む吸気口１６が設けられ、背面板と内部風洞部材１３ｃとの間に形成された風洞に冷却風を導き、取付台１５に搭載された発熱体１４を冷却する。
【０００５】
また、外装取付枠１２の上部四隅には、吊り治具１７が設けられており、クレーン等で筐体を吊り上げて移動する場合は、この吊り治具１７を利用して吊り上げられ移動する。このように、従来の電気機器の筐体は、発熱体１４の保持は内部風洞部材１３ａ〜１３ｃで行い、筐体の移動は外装箱体１１を吊り上げて移動するようにしている。
【０００６】
【発明が解決しようとする課題】
ところが、このような従来の電気機器の筐体では、発熱体１４を取り付ける内部風洞部材１３ａ〜１３ｃと吊り上げられる外装箱体１１との双方に機械的強度が必要となる。内部風洞部材１３ａ〜１３ｂは、箱枠型に構成して筐体全体に対しての補強として使用する場合はあるが、最終的には、吊り上げられる箱型の外装箱体１１に強度が必要となる。
【０００７】
また、内部風洞部材１３ａ〜１３ｂにより形成された風洞の通風経路内に発熱体１４を取り付ける場合、その取付台１５は強度を持たせるため、折り曲げ板金とする必要がある。そのため、形鋼の形状により通風孔の開口率が制限されることがあり、その場合には余分な圧力損失が発生し、冷却ファンの大型化や数量増加となる。
【０００８】
本発明の目的は、外装箱体の強度を減らすことができ内部風洞部材で形成される通風経路内の圧力損失を少なくできる電気機器の筐体を提供することである。
【０００９】
【課題を解決するための手段】
請求項１の発明に係る電気機器の筐体は、電気機器を構成する要素のうち発熱体を搭載する取付台を保持すると共に前記発熱体への冷却風を案内する風洞を形成する内部風洞部材と、前記内部風洞部材の上部に取り付けられ前記内部風洞部材を吊り上げる際に使用される吊り治具と、前記内部風洞部材を収納し前記内部風洞部材と前面板または背面板との間で前記風洞を形成する外装箱体とを備えたことを特徴とする
請求項１の発明に係る電気機器の筐体においては、内部風洞部材は、発熱体を搭載する取付台を保持し、発熱体への冷却風を案内する風洞を外装箱体と共に形成する。そして、内部風洞部材の吊り治具を使用して内部風洞部材を吊り上げ、筐体を移動させる。これにより、外装箱体の強度を減少させることができる。
【００１０】
請求項２の発明に係る電気機器の筐体は、請求項１の発明において、前記発熱体を搭載する取付台は、グレーチング部材であることを特徴とする。
【００１１】
請求項２の発明に係る電気機器の筐体においては、請求項１の発明の作用に加え、発熱体を搭載したグレーチング部材からなる取付台は冷却風を通風しやすいので、より冷却効率が向上する。
【００１２】
請求項３の発明に係る電気機器の筐体は、請求項１または請求項２の発明において、前記外装箱体の床板は、グレーチング部材であることを特徴とする。
【００１３】
請求項３の発明に係る電気機器の筐体においては、請求項１または請求項２の発明の作用に加え、外装箱体の床板であるグレーチング部材から冷却風が外装箱体内に流入するので、冷却効率がさらに向上する。
【００１４】
【発明の実施の形態】
以下、本発明の実施の形態を説明する。図１は本発明の第１の実施の形態に係る電気機器の筐体の説明図であり、図１（ａ）は内部斜視図、図１（ｂ）は発熱体を搭載するグレーチング部材１８の斜視図である。
【００１５】
外装箱体１１の内部には内部風洞部材１３ａ、１３ｂ、１３ｃが配置され、電気機器を構成する要素のうちの発熱体１４を搭載するグレーチング部材１８が取り付けられている。グレーチング部材１８は、図１（ｂ）に示すように、金属部材により格子状に形成されている。従って、冷却風は容易に通過できるようになっている。
【００１６】
冷却風は、外装箱体１１の前面板に形成された吸気口１６から取り込まれ、外装箱体１１の背面板と内部風洞部材１３ｃとの間に形成された風洞により導かれて、グレーチング部材１８に搭載された発熱体１４を冷却する。
【００１７】
また、内部風洞部材１３ａ、１３ｂの上部の端部には、吊り治具１７が設けられており、クレーン等で筐体を吊り上げて移動する場合は、この吊り治具１７を利用して吊り上げられ移動する。
【００１８】
このように、筐体の吊り上げ移動時の強度を内部風洞部材１３で持たせることで、外装箱体１１には吊り上げ移動時の強度が不要となる。従って、外装箱体の外装取付枠の板厚の低減や形状の簡素化ができる。また、内部風洞部材１３が筐体の本体部となっているため、組み立ての最後に外装取付枠を取り付けることが可能となる。このため、組立中には外装取付枠が無いので、内部風洞部材１３に各種用品を取り付ける作業のアクセス性が向上する。
【００１９】
また、内部風洞部材１３で形成される風洞の通風経路内に発熱体１４を取り付ける場合、取付用の取付台としてグレーチング部材１８を使用するので、発熱体１４の取付台としての強度確保や風洞の通風経路内の開口率が向上する。従って、冷却風の圧力損失が低減でき、効率よく発熱体１４を冷却できる。なお、冷却風は、冷却風を送り込むための冷却ファンを取り付けた強制冷却や自然冷却のどちらでも良い。
【００２０】
次に、本発明の第２の実施の形態を説明する。図２は本発明の第２の実施の形態に係る電気機器の筐体の内部斜視図である。この第２の実施の形態は、図１に示した第１の実施の形態に対し、外装箱体１１の床板にグレーチング部材１８を使用し、そのグレーチング部材１８に発熱体１４を搭載したものである。
【００２１】
外装箱体１１の床面にグレーチング部材１８を使用しているので、床面全体が吸気口となり、冷却風を効率的に取り込むことができる。
【００２２】
【発明の効果】
以上述べたように、本発明によれば、筐体の吊り上げ移動時の強度を内部風洞部材に持たせることで、外装箱体の外装取付枠などの簡素化ができる。また、内部風洞部材で形成される風洞の通風経路内の発熱体の取付台として、グレーチング部材を使用するので、発熱体の取付台としての強度を確保し風洞の通風経路内の開口率が向上する。従って、圧力損失が低減でき効率よく発熱体を冷却できる。
【図面の簡単な説明】
【図１】本発明の第１の実施の形態に係る電気機器の筐体の説明図であり、図１（ａ）は内部斜視図、図１（ｂ）は発熱体を搭載するグレーチング部材１８の斜視図。
【図２】本発明の第２の実施の形態に係る電気機器の筐体の内部斜視図。
【図３】従来の電気機器の筐体の説明図であり、図３（ａ）は内部斜視図、図３（ｂ）は発熱体を搭載する取付台の斜視図。
【符号の説明】
１１…外装箱体、１２…外装取付枠、１３…内部風洞部材、１４…発熱体、１５…取付台、１５ａ…通風孔、１６…吸気口、１７…吊り治具、１８…グレーチング部材
【図１】
2004087902.tif 000003
【図２】
2004087902.tif 000004
【図３】
2004087902.tif 000005